(57)【特許請求の範囲】
【請求項１】
筒状に形成されたチャンバー部と、前記チャンバー部の軸方向に沿った一方に形成され前記チャンバー部の内部に対して連通遮断が可能な流路を備えた分岐管と、前記チャンバー部の外周面の両側から外側に向って延び前記チャンバー部の内部と連通する流路をそれぞれ備えた一対の分岐管とからなる液体混注具本体と、
前記チャンバー部内に形成され、前記一対の分岐管のうちの上流側の分岐管から前記チャンバー部内に流れる液体を前記チャンバー部の軸方向に沿った一方側を通過させる壁部と、
前記チャンバー部の軸方向に移動可能な状態で前記チャンバー部の軸方向に沿った他方に設置され、前記チャンバー部の内部側に位置したときと前記チャンバー部の外部側に位置したときとで、前記一対の分岐管の一方と前記チャンバー部内との間を連通した状態と遮断した状態とに切り替える弁体を有する操作部と
を備えたことを特徴とする液体混注具。
【請求項２】
前記チャンバー部における前記操作部が設置される部分にガイド部を設けるとともに、前記操作部に、前記ガイド部に係合した状態で前記ガイド部に対して移動可能な被ガイド部を設け、前記ガイド部に対して前記被ガイド部を移動させることにより、前記操作部が前記チャンバー部に対して移動するようにした請求項１に記載の液体混注具。
【請求項３】
前記操作部が、前記チャンバー部の軸方向に沿った他方側部分の外周面に沿って前記軸方向に移動可能な把持部を備えている請求項１または２に記載の液体混注具。
【請求項４】
前記ガイド部を前記チャンバー部の軸方向に沿った他方側部分の外周面に設けるとともに、前記被ガイド部を前記把持部における前記ガイド部に対応する部分に設けた請求項３に記載の液体混注具。
【請求項５】
前記被ガイド部を前記チャンバー部の軸方向に沿って延びる部分を備えた溝または貫通孔で構成するとともに、前記ガイド部を前記溝または前記貫通孔に移動可能な状態で係合する突起で構成した請求項４に記載の液体混注具。
【請求項６】
前記被ガイド部を構成する前記溝または前記貫通孔の両端部近傍に、前記突起を前記溝または前記貫通孔の両端部に位置決めするための幅狭部を設けた請求項５に記載の液体混注具。
【請求項７】
前記チャンバー部の所定部分に前記弁体の周面を露出させるための窓部を形成し、前記弁体の周面における前記弁体が前記チャンバー部の軸方向に沿った内部側に位置したときに前記窓部に露出する部分と、前記弁体が前記チャンバー部の軸方向に沿った外部側に位置したときに前記窓部に露出する部分とに、それぞれ連通する流路を示す標識を設けた請求項１ないし６のうちのいずれか一つに記載の液体混注具。
【請求項８】
前記チャンバー部の軸方向に沿った一方に形成された分岐管に、ゴム栓を取り付け、前記ゴム栓に管状挿入部材を通すことにより、前記チャンバー部の軸方向に沿った一方に形成された分岐管を介して、前記チャンバー部内と前記管状挿入部材に接続される液体容器とを連通させることができるようにした請求項１ないし７のうちのいずれか一つに記載の液体混注具。
【発明の詳細な説明】
【技術分野】
【０００１】
本発明は、医療に用いられる複数の輸液チューブ等に連結される複数の分岐管を備え、各分岐管の連通、遮断を切り替えることのできる液体混注具に関する。
【背景技術】
【０００２】
従来から、複数の輸液チューブを用いて患者の体内に所定の生理食塩水や薬液等を供給することが行われており、このような場合に、液体混注具を用いて、各輸液チューブ間を連通させたり遮断させたりする操作が行われている。このような液体混注具の中に、３個の分岐管を備えたものがある。この液体混注具は、３個の分岐管に連通するチャンバー部と、操作部の操作によりチャンバー部内で回転する弁体とを備えており、操作部を操作して弁体を回転させることにより、任意の分岐管を連通させたり、遮断させたりすることができるように構成されている。
【０００３】
しかしながら、前述した液体混注具では、操作部がチャンバー部の周面から突出した状態で設けられており、この操作部に、分岐管に接続されるチューブ部材等が絡んだり、患者の体が接触して操作部が回転したりすることがある。このため、チャンバー部を円筒状に形成して、操作部をチャンバー部の軸方向に移動させて所定の分岐管とチャンバー部との間を連通させたり遮断させたりすることにより、操作部をチャンバー部の周面から突出させることなく、分岐管の流路を切り替えることのできる液体混注具が開発されている（例えば、特許文献１参照）。この液体混注具は、略円筒状のチャンバー部の周面を挟んで二つの分岐管が設けられ、チャンバー部内で弁体を軸周り方向に回転させることにより二つの分岐管の間を開閉できるように構成されている。
【特許文献１】特開昭６２―１７２９６２号公報
【発明の開示】
【０００４】
しかしながら、この液体混注具は、二つの分岐管しか備えてなく、単に、二つの分岐管の間を連通させたり遮断させたりするだけのものである。したがって、この液体混注具では、医療に用いられる複数の輸液チューブ等を連結して、各輸液チューブの連通、遮断を切り替えることはできない。また、二つの分岐管の間を連通させたり遮断させたりするためには、弁体を回転操作しなければならず、操作がし難くなるという問題もある。
【０００５】
本発明は、このような事情に鑑みなされたもので、その目的は、操作部が突出して邪魔になることなく複数の分岐管のうちの任意の分岐管を連通させたり、遮断させたりすることのできる液体混注具を提供することにある。
【０００６】
前述した目的を達成するため、本発明に係る液体混注具の構成上の特徴は、筒状に形成されたチャンバー部と、チャンバー部の軸方向に沿った一方に形成されチャンバー部の内部に対して連通遮断が可能な流路を備えた分岐管と、チャンバー部の外周面の両側から外側に向って延びチャンバー部の内部と連通する流路をそれぞれ備えた一対の分岐管とからなる液体混注具本体と、チャンバー部内に形成され、一対の分岐管のうちの上流側の分岐管からチャンバー部内に流れる液体をチャンバー部の軸方向に沿った一方側を通過させる壁部と、チャンバー部の軸方向に移動可能な状態でチャンバー部の軸方向に沿った他方に設置され、チャンバー部の内部側に位置したときとチャンバー部の外部側に位置したときとで、一対の分岐管の一方とチャンバー部内との間を連通した状態と遮断した状態とに切り替える弁体を有する操作部とを備えたことにある。
【０００７】
前述したように構成した本発明の液体混注具は、チャンバー部の軸方向に沿って移動可能な弁体を有する操作部を備えており、操作部を操作することにより、弁体で、一対の分岐管の一方とチャンバー部内との間を連通させたり遮断させたりすることができる。また、チャンバー部の軸方向に沿った一方に形成された分岐管は、チャンバー部の内部に対して連通遮断が可能な流路を備えている。したがって、操作部を操作することにより、一対の分岐管をチャンバー部を介して連通させるとともに、チャンバー部の一方の分岐管の流路をチャンバー部に連通させることにより、３個の分岐管をすべてチャンバー部を介して連通させることができる。
【０００８】
これによって、患者の体に二種類の薬液等を供給することができる。また、その状態でチャンバー部の一方の分岐管の流路をチャンバー部に対して遮断させることにより、一対の分岐管だけを連通させることができる。さらに、チャンバー部の一方の分岐管の流路をチャンバー部に連通させた状態で、一対の分岐管の一方とチャンバー部内との間を遮断することにより、チャンバー部の一方の分岐管と一対の分岐管の他方とを連通させることができる。この場合、弁体がチャンバー部の軸方向に沿った内部側に位置したときに、一対の分岐管のどうしが連通するようにしてもよいし、弁体がチャンバー部の軸方向に沿った外部側に位置したときに一対の分岐管のどうしが連通するようにしてもよい。
【０００９】
そして、この液体混注具によると、一対の分岐管の連通遮断の切り替え操作が、操作部を、チャンバー部の軸方向に沿って移動させるだけで済むため、簡単であるとともに視覚的に操作部の位置を判別しやすいため操作ミスが生じ難くなる。また、操作部がチャンバー部に対して軸方向に進退するだけであるため、チャンバー部の周面から突出して邪魔になるといったことがなくなる。さらに、このような液体混注具をベッドの上等に置く場合には、チャンバー部の軸方向を水平方向にした状態にするため、患者の体に接触して操作部の位置が切り替わるといったことも生じなくなる。
【００１０】
なお、この場合のチャンバー部の形状としては、円筒状、四角筒状、三角筒状、楕円筒状、半円筒状等、軸方向に延びる筒状になっているものであればよい。また、弁体としては、円柱体の一方を切り欠いて一対の分岐管の一方だけを閉塞できるようにしたり、円柱体の内部に孔からなる流路を形成したりすることにより形成されたものを使用することができる。
【００１１】
また、本発明に係る液体混注具の他の構成上の特徴は、チャンバー部における操作部が設置される部分にガイド部を設けるとともに、操作部に、ガイド部に係合した状態でガイド部に対して移動可能な被ガイド部を設け、ガイド部に対して被ガイド部を移動させることにより、操作部がチャンバー部に対して移動するようにしたことにある。
【００１２】
これによると、操作部が、ガイド部と被ガイド部との係合した状態での相対移動によって形成される正確な軌道に沿って移動するようになるため、流路の切り替えが確実になる。また、この場合、ガイド部と被ガイド部とは、例えば、溝と、その溝に係合した状態でスライドしながら移動できる係合突起とで構成することができ、ガイド部と被ガイド部とは、チャンバー部と操作部とのどちらに設けてもよい。さらに、ガイド部と被ガイド部とは、チャンバー部と操作部とのどの部分に設けてもよい。要は、チャンバー部と操作部とが、ガイド部と被ガイド部とを介して相対的に移動可能になっていればよい。
【００１３】
また、本発明に係る液体混注具のさらに他の構成上の特徴は、操作部が、チャンバー部の軸方向に沿った他方側部分の外周面に沿って軸方向に移動可能な把持部を備えていることにある。これによると、液体混注具を操作する操作者は、把持部を持って操作部をチャンバー部の軸方向に移動させることにより弁体による切り替え操作が行えるようになる。また、その際、把持部がチャンバー部の外周面に沿って移動可能になっているため操作が容易になる。
【００１４】
また、本発明に係る液体混注具のさらに他の構成上の特徴は、ガイド部をチャンバー部の軸方向に沿った他方側部分の外周面に設けるとともに、被ガイド部を把持部におけるガイド部に対応する部分に設けたことにある。これによると、ガイド部や被ガイド部の形成が容易になる。また、ガイド部に沿った被ガイド部の移動により、操作部が正確な軌道に沿って移動するようになり、流路の切り替えが確実になる。
【００１５】
また、本発明に係る液体混注具のさらに他の構成上の特徴は、被ガイド部をチャンバー部の軸方向に沿って延びる部分を備えた溝または貫通孔で構成するとともに、ガイド部を溝または貫通孔に移動可能な状態で係合する突起で構成したことにある。これによると、流路を切り替えるための機構を簡単な構造で構成できるようになる。また、この場合、被ガイド部を構成する溝または貫通孔の両端部近傍に、突起を溝または貫通孔の両端部に位置決めするための幅狭部を設けることができる。これによると、突起が幅狭部に係合して制止されるため、不用意に突起が移動して流路が変更されることが防止される。
【００１６】
また、本発明に係る液体混注具のさらに他の構成上の特徴は、チャンバー部の所定部分に弁体の周面を露出させるための窓部を形成し、弁体の周面における弁体がチャンバー部の軸方向に沿った内部側に位置したときに窓部に露出する部分と、弁体がチャンバー部の軸方向に沿った外部側に位置したときに窓部に露出する部分とに、それぞれ連通する流路を示す標識を設けたことにある。これによると、窓部に流路が表示されるため、連通させたり遮断させたりする流路を間違えて操作することがなくなる。
【００１７】
また、本発明に係る液体混注具のさらに他の構成上の特徴は、チャンバー部の軸方向に沿った一方に形成された分岐管に、ゴム栓を取り付け、ゴム栓に管状挿入部材を通すことにより、チャンバー部の軸方向に沿った一方に形成された分岐管を介して、チャンバー部内と管状挿入部材に接続される液体容器とを連通させることができるようにしたことにある。これによると、簡単な方法で、チャンバー部の一方に形成された分岐管の流路を、チャンバー部内に対して連通させたり遮断させたりすることができる。また、この場合の管状挿入部材としては、アダプターの差込部（鈍針）、シリンジの雄ルアー部等がある。また、管状挿入部材の先端部が先鋭に形成されていない場合には、ゴム栓に管状挿入部材を通すためのスリットを設けておくこともできる。
【発明を実施するための最良の形態】
【００１８】
（第１実施形態）
以下、本発明に係る液体混注具を図面を用いて詳しく説明する。図１および図２は、本発明の第１実施形態に係る液体混注具Ａを示しており、この液体混注具Ａは、液体混注具本体１０と、操作部２０とで構成されている。液体混注具本体１０は、軸方向の長さが短い円筒状のチャンバー部１１と、チャンバー部１１の軸方向に沿った一方（図１および図２の上方）に形成された合流分岐管１２と、チャンバー部１１の外周面における両側に１８０度の角度を保って同軸に沿って延びるように連結された一対の下流分岐管１３および上流分岐管１４とで構成されている。
【００１９】
チャンバー部１１は、図３に示したように正面側から見た断面では、下部側部分が上部側部分よりも細くなり、図４に示したように側面側から見た断面では太さが均一になった段状の円筒形に形成されている。そして、チャンバー部１１の軸方向の中央に位置する下部側の小径部１１ａと上部側の大径部１１ｂとの境界部における対向する部分に、二つの連通穴１５ａ，１５ｂが形成されている。また、チャンバー部１１における連通穴１５ａに対応する部分には、下流分岐管１３が設けられており、連通穴１５ａを介してチャンバー部１１の内部と下流分岐管１３の内部に形成された流路１３ａとが連通している。
【００２０】
また、チャンバー部１１における連通穴１５ｂに対応する部分には、上流分岐管１４が設けられており、連通穴１５ｂを介してチャンバー部１１の内部と上流分岐管１４の内部に形成された流路１４ａとが連通している。そして、チャンバー部１１の小径部１１ａにおける連通穴１５ｂに対向する部分に逆流防止用の縦壁部１６が形成されている。この縦壁部１６は、小径部１１ａの内周面側上端部から、連通穴１５ｂと間隔を保った状態で、チャンバー部１１内を上方に向って延びており、上流分岐管１４からチャンバー部１１内に向って薬液等が流れる際に、薬液等がチャンバー部１１内の上部を通過するようにする。これにより、チャンバー部１１内に空気等が滞留することを防止できる。
【００２１】
したがって、この縦壁部１６は、操作部２０が、図５および図６の状態（図５および図６は、操作部２０が下降することにより、後述する弁体２１がチャンバー部１１と上流分岐管１４との間を連通させた状態を示している。）になっているときに、上流分岐管１４側からチャンバー部１１内に向って薬液等を流すと、その液体は上流分岐管１４内および連通穴１５ｂを通過したのち、縦壁部１６に沿って上昇し、縦壁部１６を乗り越えてチャンバー部１１内に流れる。さらに、その液体は、連通穴１５ａを通過して下流分岐管１３側に流れる。
【００２２】
チャンバー部１１の上方に形成された合流分岐管１２は、下流分岐管１３や上流分岐管１４と比較して、軸方向の長さが短く、直径が大きい円筒状に形成され、チャンバー部１１と一体的に構成されている。この合流分岐管１２の内周面には、チャンバー部１１側の直径よりも上部開口側の直径が大きくなるようにテーパが設けられている。また、合流分岐管１２の内径は、チャンバー部１１の内径よりもやや大きく設定されて、その内部におけるチャンバー部１１の上端部と合流分岐管１２の下端部との境界部に段差が形成されている。そして、その段差の外周側に、深さの浅い係合溝１１ｃが円周に沿って形成され、この係合溝１１ｃを介して、合流分岐管１２の内部に、天然ゴムまたは合成ゴムからなるゴム栓１７が挿入されて合流分岐管１２の内部は塞がれている。
【００２３】
また、このゴム栓１７には、チャンバー部１１の内部側と合流分岐管１２の外部側との間を貫通し、合流分岐管１２の流路を形成するためのスリット１２ａ（図８〜図１１参照）が設けられている。このスリット１２ａは、合流分岐管１２を使用しない時には、ゴム栓１７の弾性によって閉塞された状態になる。また、合流分岐管１２の上端部には、外周面が凹凸に形成された突部１２ｂが設けられ、合流分岐管１２の開口部には、ゴム栓１７を合流分岐管１２内に維持するための蓋部１７ａが突部１２ｂを介して取り付けられている。
【００２４】
この蓋部１７ａは、上面中央部が開口した略リング状に形成され、側部の内周面に突部１２ｂと係合可能な係合凹部１７ｂが形成されている。したがって、この蓋部１７ａは、ゴム栓１７の上面外周側部分を押さえ、係合凹部１７ｂを突部１２ｂに係合させた状態で合流分岐管１２の開口部に取り付けられている。また、合流分岐管１２の外周面における突部１２ｂの下方部分の左右に一対の係合用の突起１２ｃ，１２ｄが形成され、チャンバー部１１の周面におけるやや下流分岐管１３側の部分に四角形の小さな窓部１８が形成されている。さらに、チャンバー部１１の周面の下端部近傍における窓部１８の下方に位置する部分に本発明のガイド部としてのガイド突起１９が設けられている。
【００２５】
下流分岐管１３は、チャンバー部１１と一体的に形成されており、チャンバー部１１側に位置する基端部１３ｂと、基端部１３ｂよりも細く形成され先端側に位置する雄ルアー部１３ｃとで構成されている。また、雄ルアー部１３ｃは基端部１３ｂ側よりも先端側の方が細くなった先細り状に形成されている。そして、下流分岐管１３の外周面における基端部１３ｂと雄ルアー部１３ｃとの境界部には、突部１３ｄが円周に沿って形成されている。
【００２６】
また、上流分岐管１４は、チャンバー部１１と一体的に形成されており、内部には、テーパ状の穴部からなる流路１４ａが形成されている。この流路１４ａは、連通穴１５ｂに連通しており、連通穴１５ｂ側の部分が、連通穴１５ｂ側の直径が小さく、連通穴１５ｂから離れるにしたがって直径が大きくなったテーパ状に形成されている。また、流路１４ａの上流側部分は、上流分岐管１４の開口部に近づくほど徐々に直径が大きくなったテーパ状に形成されている。そして、上流分岐管１４の開口部の外周には、連結用のねじ部１４ｂが形成されている。
【００２７】
操作部２０は、略円柱状の弁体２１と、弁体２１の下端部に連結された把持部２２とで構成されている。そして、弁体２１は、チャンバー部１１内に設置されて、把持部２２の操作によりチャンバー部１１内を軸方向に移動可能になっている。また、弁体２１の外周面における中央よりもやや下部側部分には円周に沿って溝部が形成されその溝部にリング状のシール部材２３が取り付けられている。そして、弁体２１がチャンバー部１１内で移動するとき、弁体２１は、小径部１１ａの内周面および縦壁部１６に摺接し、下流分岐管１３の流路１３ａの開口とは所定間隔を保った状態になる。その際、弁体２１と小径部１１ａの内周面との間はシール部材２３によって漏れが生じることを防止される。
【００２８】
また、弁体２１の上部における下流分岐管１３に対向する部分には、下流分岐管１３側から合流分岐管１２側に向って下方側に湾曲して延びる曲面部２１ａが形成されている。この曲面部２１ａは、図５および図７に示したように、弁体２１が下方に位置したときには下端部が下流分岐管１３の流路１３ａの下端部に位置するようになって、上端部がゴム栓１７から離れた状態になる。また、曲面部２１ａは、図３に示したように、弁体２１が上方に位置したときには下端部が下流分岐管１３の流路１３ａの上端部よりもやや上方に位置するようになって、上端部がゴム栓１７を押圧した状態になる。
【００２９】
このため、図３に示したように、弁体２１が上方に位置したときには、合流分岐管１２のスリット１２ａおよび上流分岐管１４の流路１４ａは、ともにチャンバー部１１に対して遮断された状態になる。そして、下流分岐管１３の流路１３ａは、チャンバー部１１に対して連通するが、合流分岐管１２のスリット１２ａおよび上流分岐管１４の流路１４ａとは遮断された状態になる。また、図５に示したように、弁体２１が下方に位置したときには、下流分岐管１３の流路１３ａおよび上流分岐管１４の流路１４ａは、ともにチャンバー部１１に対して連通して互いに連通した状態になる。
【００３０】
したがって、この状態では、上流分岐管１４からチャンバー部１１を介して下流分岐管１３に薬液等を流すことができる。また、弁体２１の周面における弁体２１が上方に位置したときに窓部１８に位置する部分には、チャンバー部１１内の流路が合流分岐管１２から下流分岐管１３に向うことを表した標識２４ａが設けられている。すなわち、この標識２４ａは、上流分岐管１４がチャンバー部１１に対して遮断され、合流分岐管１２がチャンバー部１１に対して連通可能な状態であることを示している。そして、弁体２１の周面における弁体２１が下方に位置したときに窓部１８に位置する部分には、チャンバー部１１内の流路が上流分岐管１４から下流分岐管１３に向うこと、および上流分岐管１４から下流分岐管１３に向うことを表した標識２４ｂが設けられている。
【００３１】
把持部２２は、弁体２１の下端部から水平方向に広がった円板状の底部２２ａと、底部２２ａの外周縁部からチャンバー部１１の小径部１１ａの外周面に沿って上方に延びる円筒状の把持部本体２２ｂとで構成されている。そして、把持部本体２２ｂにおけるガイド突起１９に対応する部分に、本発明の被ガイド部としてのガイド溝２５が形成されている。このガイド溝２５は、ガイド突起１９が内部を長手方向に沿って移動できる幅に形成され、上下方向に延びる縦ガイド２５ａと、縦ガイド２５ａの上端部および下端部からそれぞれ水平方向に平行して延びる水平ガイド２５ｂ，２５ｃとで構成されている。
【００３２】
そして、水平ガイド２５ｂ，２５ｃの端部側部分に、それぞれ幅狭部２６ａ，２６ｂが形成されている。この幅狭部２６ａ，２６ｂは、最狭部の幅がガイド突起１９の直径よりもやや小さく設定された弾性部で構成されており、所定の力で、ガイド突起１９が水平ガイド２５ｂ，２５ｃの中央側から端部側に移動するように操作部２０を回転させることによりガイド突起１９を通すことができるが、ガイド突起１９を水平ガイド２５ｂ，２５ｃの端部に位置させた状態にすると、ガイド突起１９は幅狭部２６ａ，２６ｂに抜け止めされた状態でその位置に固定される。
【００３３】
また、図８ないし図１１に示したように、合流分岐管１２には、アダプター２７を着脱可能に取り付けることができる。このアダプター２７は、内部に流路が形成された円筒状の雌ルアー部２７ａと、雌ルアー部２７ａの流路に連通する流路を備えた本発明のルアー部材としての細径円筒状の差込部２７ｂと、差込部２７ｂの周囲を覆うカバー部２７ｃとで構成されている。雌ルアー部２７ａには、輸液チューブ（図示せず）に接続された雄ルアー部が差し込まれ、輸液チューブを介して薬液等が送られる。差込部２７ｂは、ゴム栓１７のスリット１２ａ内に差し込まれることにより雌ルアー部２７ａとチャンバー部１１内とを連通させる。
【００３４】
また、カバー部２７ｃは、雌ルアー部２７ａの下端部から水平方向に広がったのちに差込部２７ｂの周面を一定間隔を保って覆うようにして、下方に延びる円筒体で構成されている。そして、カバー部２７ｃの周面下部側における相対向する部分に、それぞれ合流分岐管１２の突起１２ｃ，１２ｄに係合可能な一対の係合穴２８ａ，２８ｂが形成されている。差込部２７ｂをスリット１２ａ内に差し込んだ状態で、この係合穴２８ａ，２８ｂを突起１２ｃ，１２ｄに係合させることにより、差込部２７ｂがスリット１２ａ内に差し込まれた状態を維持できる。また、その際、差込部２７ｂとスリット１２ａの周面との間は、ゴム栓１７の弾性によって密着状態になる。
【００３５】
この構成において、所定の薬液を患者（図示せず）の体内に供給する場合には、下流分岐管１３に、患者に穿刺して留置するための留置針が接続された輸液チューブ（図示せず）の後端部を接続する。また、上流分岐管１４には、患者に供給する薬液を収容する容器等から延びる輸液チューブの先端部に設けられた雄ルアー部を接続する。そして、留置針を患者の体に穿刺して留置した状態で、操作部２０等を操作して容器等の薬液を患者に向けて送り出すことにより患者への薬液の供給が行われる。また、容器等から供給される薬液に加えて、他の薬液等を患者に供給する場合には、アダプター２７に接続された輸液チューブを介して、他の薬液等を合流分岐管１２からチャンバー部１１内に注入する。
【００３６】
すなわち、合流分岐管１２にアダプター２７を取り付けた状態で、操作部２０を操作して、水平ガイド２５ｃの端部にガイド突起１９が位置するようにすると、図８および図９に示したように、アダプター２７の雌ルアー部２７ａと下流分岐管１３とがチャンバー部１１を介して連通する。このとき、上流分岐管１４は、弁体２１の上端部がゴム栓１７に密着するためチャンバー部１１内に対して遮断される。また、チャンバー部１１の窓部１８には、図１（ｂ）に示したように、合流分岐管１２と下流分岐管１３とが連通していることを示す標識２４ａが現れる。さらに、ガイド突起１９は、幅狭部２６ｂによって水平ガイド２５ｃの端部に固定される。
【００３７】
また、操作部２０を操作して、水平ガイド２５ｂの端部にガイド突起１９が位置するようにすると、図１０および図１１に示したように、アダプター２７の雌ルアー部２７ａ、下流分岐管１３および上流分岐管１４がそれぞれチャンバー部１１を介して連通する。このとき、弁体２１の上端部は、ゴム栓１７から離れた状態になる。また、チャンバー部１１の窓部１８には、図２（ｂ）に示したように、合流分岐管１２と下流分岐管１３および上流分岐管１４と下流分岐管１３とが連通していることを示す標識２４ｂが現れる。さらに、ガイド突起１９は、幅狭部２６ａによって水平ガイド２５ｂの端部に固定される。
【００３８】
なお、この場合の操作部２０の操作は、図１（ｂ）の状態から、操作部２０を底面側から見た状態で時計周り方向に回転してガイド突起１９が縦ガイド２５ａの下端部に位置するようにするとともに、操作部２０を下方に移動させて、ガイド突起１９が縦ガイド２５ａの上端部に位置するようにする。そして、操作部２０を底面側から見た状態で反時計周り方向に回転してガイド突起１９が水平ガイド２５ｂの端部に位置するようにして、図２（ｂ）の状態にすることにより行われる。また、図２（ｂ）の状態から図１（ｂ）の状態にする場合には、その逆の操作が行われる。
【００３９】
このように、本実施形態に係る液体混注具Ａでは、チャンバー部１１の軸方向に沿って上下移動可能な操作部２０を備えており、操作部２０を上下に操作することにより、弁体２１で、下流分岐管１３と上流分岐管１４とを連通させたり遮断させたりすることができる。また、チャンバー部１１の上部に形成された合流分岐管１２には、アダプター２７を着脱可能に取り付けることができるように構成されており、このアダプター２７を取り付けることにより、アダプター２７をチャンバー部１１の内部に連通させることができる。
【００４０】
したがって、患者の体に一種類又は二種類の薬液等を適宜選択して供給することができる。そして、この液体混注具Ａによると、下流分岐管１３と上流分岐管１４との連通遮断の切り替え操作が、操作部２０を、上下方向に移動させるだけで済むため、簡単であるとともに操作ミスが生じ難くなる。また、その際、操作部２０がチャンバー部１１に対して進退するだけであるため、チャンバー部１１の周面から操作部２０が突出して邪魔になるといったことがなくなる。さらに、液体混注具Ａをベッドの上等に置く場合には、チャンバー部１１の軸方向が横に倒れた状態になるため、操作部２０が患者の体に接触して操作位置が切り替わるといったことが生じなくなる。
【００４１】
また、本発明に係る液体混注具Ａでは、操作部２０の把持部２２にガイド溝２５を設けるとともに、チャンバー部１１の小径部１１ａにガイド突起１９を設け、ガイド突起１９に対してガイド溝２５を移動させることにより、操作部２０がチャンバー部１１に対して移動して、下流分岐管１３と上流分岐管１４との連通遮断が切り替わるようにしている。このため、操作部２０が、正確な軌道に沿って移動するようになり、流路の切り替えが確実になる。
【００４２】
また、操作部２０が、チャンバー部１１の外周面に沿って移動可能な把持部２２を備えているため、操作部２０の操作が容易になる。さらに、ガイド溝２５の両端部近傍に、幅狭部２６ａ，２６ｂを設けたため、ガイド突起１９が幅狭部２６ａ，２６ｂに係合して固定されるため移動することがなくなる。これによって、ガイド突起１９が不用意に移動して流路が変更されることが防止される。また、チャンバー部１１に窓部１８を形成して、弁体２１の周面における弁体２１がチャンバー部１１の軸方向に沿った内部側に位置したときに窓部１８に露出する部分と、弁体２１がチャンバー部１１の軸方向に沿った外部側に位置したときに窓部１８に露出する部分とに、それぞれ連通する流路を示す標識２４ａ，２４ｂを設けている。このため、操作者が、連通させたり遮断させたりする流路を間違えて操作することがなくなる。
【００４３】
（第２実施形態）
図１２および図１３は、本発明の第２実施形態に係る液体混注具Ｂを示している。この液体混注具Ｂは、液体混注具本体３０と操作部４０とで構成されており、内部が、図１４ないし図１８に示したように構成されている。すなわち、チャンバー部３１の上方に形成された合流分岐管３２は、チャンバー部３１と別体からなる部材で構成されており、チャンバー部３１側の直径が大きく上方に行くほど直径が小さくなった先細り状の円筒体で構成されている。また、この合流分岐管３２は、平面視による形状が楕円形に形成されている。
【００４４】
そして、合流分岐管３２の内周面下端には、被係合部３２ａが形成されており、この被係合部３２ａをチャンバー部３１の上端外周面に形成された係合部３１ａに係合させることにより、合流分岐管３２はチャンバー部３１に連結されている。また、合流分岐管３２の上端開口には、ゴム栓３７が挿入され、そのゴム栓３７が蓋部３７ａによって合流分岐管３２の開口部から抜け止めされた状態で固定されている。ゴム栓３７には、下面における外周側部分から上方に延びる溝部３７ｂが形成されており、この溝部３７ｂ内に合流分岐管３２の上端を差し込ませることによって、ゴム栓３７は合流分岐管３２の上端部に係合している。
【００４５】
そして、ゴム栓３７は、蓋部３７ａによって、上面における外周側部分と周面における上部側部分を締め付けられることにより合流分岐管３２の上端部に固定されている。なお、このゴム栓３７にも合流分岐管３２の流路を形成するためのスリット（図示せず）が設けられている。また、チャンバー部３１の内部における上端側部分には、壁部３９が形成されている。この壁部３９により、図１５に示した状態のときに、チャンバー部３１内を流れる薬液等が、チャンバー部３１内の上部を通過するようにする。これにより、チャンバー部３１内に空気等が滞留することを防止できる。
【００４６】
操作部４０は、略円柱状の弁体４１と、弁体４１の下端部に連結された把持部４２とで構成されている。そして、弁体４１の上部における上流分岐管３４に対向する部分には、上流分岐管３４側から下流分岐管３３に向って延びたのち直角に屈曲して、合流分岐管３２側に向って上方に延びる流路４１ａが形成されている。この流路４１ａは、図１５に示したように、弁体４１が上方に位置したときには下端部が上流分岐管３４の流路３４ａに連通する位置になって、上流分岐管３４をチャンバー部３１内に連通させる。このとき、弁体４１の上端面は、壁部３９に当接する。
【００４７】
また、流路４１ａは、図１８に示したように、弁体４１が下方に位置したときには下端部が上流分岐管３４の流路３４ａよりも下方に位置して、チャンバー部３１の内周面によって閉塞される。このとき、弁体４１の上端面は壁部３９から下方に離れた位置になる。このため、図１５に示したように、弁体４１が上方に位置したときには、下流分岐管３３と上流分岐管３４とは、チャンバー部３１を介して連通した状態になる。また、図１８に示したように、弁体４１が下方に位置したときには、下流分岐管３３と上流分岐管３４とは、弁体４１によって遮断された状態になる。
【００４８】
また、合流分岐管３２には、前述した第１実施形態のアダプター２７と同様のアダプターを着脱可能に取り付けることができる。なお、この液体混注具Ｂには、窓部、標識、ガイド溝、ガイド突起は設けられてない。そして、この液体混注具Ｂにおける操作部４０は、チャンバー部３１との間の摩擦抵抗を利用して、所定の位置に位置決めされる。この液体混注具Ｂのそれ以外の部分の構成については、前述した液体混注具Ａと同一である。したがって、同一部分に同一符号を記して説明は省略する。
【００４９】
この構成において、所定の薬液を患者の体内に供給する場合には、前述した第１実施形態と同様、下流分岐管３３に、留置針に接続された輸液チューブを接続するとともに、上流分岐管３４に、薬液を収容する容器等から延びる輸液チューブを接続する。そして、留置針を患者の体に穿刺して留置した状態で、操作部４０等を操作して容器等の薬液を患者に向けて送り出すことにより患者への薬液の供給を行う。また、容器等から供給される薬液に加えて、他の薬液等を患者に供給する場合には、アダプターに接続された輸液チューブを介して、他の薬液を合流分岐管３２からチャンバー部３１内に注入する。
【００５０】
すなわち、合流分岐管３２にアダプターを取り付けない状態で、操作部４０を上方に位置させると、図１４ないし図１６に示したように、弁体４１の流路４１ａが上流分岐管３４の流路３４ａに連通して、上流分岐管３４がチャンバー部３１に連通する。また、操作部４０を下方に位置させると、図１７および図１８に示したように、弁体４１の流路４１ａがチャンバー部３１の内周面によって閉塞され、上流分岐管３４とチャンバー部３１とは遮断される。
【００５１】
さらに、合流分岐管３２にアダプターを取り付けると、アダプターと、下流分岐管３３とをチャンバー部３１を介して連通させることができる。このとき、弁体４１の流路４１ａと上流分岐管３４の流路３４ａとを連通させておくと、アダプターと上流分岐管３４の双方から下流分岐管３３に薬液等を供給できる。また、弁体４１の流路４１ａと上流分岐管３４の流路３４ａとを遮断させておくと、アダプターからだけ下流分岐管３３に薬液等を供給できる。液体混注具Ｂは、以上のように構成されているため、構造が単純で、操作も簡単になる。この液体混注具Ｂのそれ以外の作用効果については、前述した液体混注具Ａと同様である。
【００５２】
また、本発明に係る液体混注具は、前述した各実施形態に限定するものでなく、適宜変更実施が可能である。例えば、前述した第１実施形態では、ガイド溝２５を、上下方向に延びる縦ガイド２５ａと、水平方向に平行して延びる水平ガイド２５ｂ，２５ｃとで構成し、水平ガイド２５ｂ，２５ｃの端部側にそれぞれ、幅狭部２６ａ，２６ｂを形成しているが、このガイド溝は縦ガイド２５ａだけで構成してもよい。その場合、縦ガイド２５ａの両端部近傍に幅狭部をそれぞれ形成する。また、ガイド溝を把持部２２の内面と外面との間に貫通した長孔でなく把持部２２の内周面側だけに設けた溝で構成して外部から見えなくすることもできる。
【００５３】
さらに、このガイド溝やガイド突起は、チャンバー部と操作部の対向する部分であれば他の部分に設けることもできる。また、ガイド部と被ガイド部をガイド溝とガイド突起以外のもので構成することもできる。さらに、窓部１８には透明部材を設けて内部が見えるようにすることもできる。また、前述した各実施形態では、ゴム栓１７，３７にスリット１２ａ等を設けて、スリット１２ａ等に差込部２７ｂを差し込むことにより、アダプター２７等を合流分岐管１２，３２に取り付けるようにしているが、アダプター２７等に代えてシリンジの雄ルアー部や注射針をゴム栓１７，３７に差し込むこともできる。なお、注射針を差し込む場合、ゴム栓１７，３７に、スリット１２ａ等を設ける必要はなくなる。さらに、液体混注具を構成するそれ以外の部分の形状や材料等についても適宜変更して実施することができる。
【図面の簡単な説明】
【００５４】
【図１】本発明の第１実施形態に係る液体混注具の操作部を上方に位置させた状態を示しており、（ａ）は平面図、（ｂ）は正面図、（ｃ）は側面図である。
【図２】液体混注具の操作部を下方に位置させた状態を示しており、（ａ）は平面図、（ｂ）は正面図、（ｃ）は側面図である。
【図３】図１（ａ）の３−３断面図である。
【図４】図１（ａ）の４−４断面図である。
【図５】図２（ａ）の５−５断面図である。
【図６】図２（ａ）の６−６断面図である。
【図７】図２（ｂ）の７−７断面図である。
【図８】アダプターが取り付けられ操作部が上方に位置した液体混注具を正面側から見た状態を示した断面図である。
【図９】アダプターが取り付けられ操作部が上方に位置した液体混注具を側面側から見た状態を示した断面図である。
【図１０】アダプターが取り付けられ操作部が下方に位置した液体混注具を正面側から見た状態を示した断面図である。
【図１１】アダプターが取り付けられ操作部が下方に位置した液体混注具を側面側から見た状態を示した断面図である。
【図１２】本発明の第２実施形態に係る液体混注具の操作部を上方に位置させた状態を示しており、（ａ）は平面図、（ｂ）は正面図、（ｃ）は側面図である。
【図１３】図１２に示した液体混注具の操作部を下方に位置させた状態を示した正面図である。
【図１４】図１２（ｂ）の１４−１４断面図である。
【図１５】図１２（ａ）の１５−１５断面図である。
【図１６】図１２（ｂ）の１６−１６断面図である。
【図１７】図１３の１７−１７断面図である。
【図１８】図１３の液体混注具を正面側から見た状態を示した断面図である。
【符号の説明】
【００５５】
１０，３０…液体混注具本体、１１，３１…チャンバー部、１２，３２…合流分岐管、１２ａ…スリット、１３，３３…下流分岐管、１３ａ，１４ａ，３４ａ，４１ａ…流路、１４，３４…上流分岐管、１５ａ，１５ｂ…連通穴、１８…窓部、１９…ガイド突起、２０，４０…操作部、２１，４１…弁体、２２，４２…把持部、２４ａ，２４ｂ…標識、２５…ガイド溝、２５ａ…縦ガイド、２６ａ，２６ｂ…幅狭部、Ａ，Ｂ…液体混注具。
【図１】
0004812467.tif 000002
【図２】
0004812467.tif 000003
【図３】
0004812467.tif 000004
【図４】
0004812467.tif 000005
【図５】
0004812467.tif 000006
【図６】
0004812467.tif 000007
【図７】
0004812467.tif 000008
【図８】
0004812467.tif 000009
【図９】
0004812467.tif 000010
【図１０】
0004812467.tif 000011
【図１１】
0004812467.tif 000012
【図１２】
0004812467.tif 000013
【図１３】
0004812467.tif 000014
【図１４】
0004812467.tif 000015
【図１５】
0004812467.tif 000016
【図１６】
0004812467.tif 000017
【図１７】
0004812467.tif 000018
【図１８】
0004812467.tif 000019